(57)【要約】【課題】本発明は、リサイクル資源として分別回収が容易な蛍光ランプ用口金を提供する。【解決手段】蛍光ランプ用口金３は、蛍光ランプ１のバルブ２に封着された端子７を覆うアルミニウム合金製の口金ベース８と、端子７と電気的に接続されるとともに口金ベース８と電気的に絶縁されてこの口金ベース８から突出するアルミニウム合金製のピン９とを備える。この口金３を蛍光ランプ１から分離し、リサイクル資源として回収する場合、さらに口金ベース８とピン９とを分離することなく一緒に回収し、再生することができる。【選択図】    図１
2004281266.tif 000002
【特許請求の範囲】
【請求項１】
蛍光ランプのバルブに封着された端子を覆うアルミニウム合金製の口金ベースと、前記端子と電気的に接続されるとともに前記口金ベースと電気的に絶縁されてこの口金ベースから突出するアルミニウム合金製のピンとを備えることを特徴とする蛍光ランプ用口金。
【請求項２】
前記口金ベースと前記ピンとは、同じ成分のアルミニウム合金からなることを特徴とする請求項１に記載の蛍光ランプ用口金。
【請求項３】
内表面に蛍光剤が塗布されたバルブと、このバルブに封入された電極と、前記バルブに封着されて前記電極と導通する端子と、この端子を覆う口金ベースと、前記端子と電気的に接続されるとともに前記口金ベースと電気的に絶縁されてこの口金ベースから突出するアルミニウム合金製のピンとを備えることを特徴とする蛍光ランプ。
【請求項４】
前記口金ベースと前記ピンとは、同じ成分のアルミニウム合金からなることを特徴とする請求項３に記載の蛍光ランプ。
【請求項５】
前記バルブは、直管状に形成されたガラス管であることを特徴とする請求項３に記載の蛍光ランプ。
【請求項６】
前記バルブは、環状に形成されたガラス管であることを特徴とする請求項３に記載の蛍光ランプ。
【請求項７】
前記バルブは、複数束ねた直管をその端部で交互に接続して一続きの管に形成したガラス管であることを特徴とする請求項３に記載の蛍光ランプ。
【請求項８】
前記バルブは、直管を１回以上折り返した形状のガラス管であることを特徴とする請求項３に記載の蛍光ランプ。
【発明の詳細な説明】
【０００１】
【発明の属する技術分野】
本発明は、構成部材のリサイクルを考慮した蛍光ランプ用口金、及びこれを用いた蛍光ランプに関する。
【０００２】
【従来の技術】
資源の有効利用を図るために、資源のリサイクルを製造段階から考慮した製品の供給が求められている。蛍光ランプは、過程から工場まで幅広く利用される消耗品であって、かつ部品点数の少ないことから、高いリサイクル効率が求められる。そこで、蛍光ランプのバルブと口金を粘着剤で固定し、蛍光ランプを廃棄処理する際、バルブと口金を容易に外せるようにしたものがある（例えば、特許文献１参照。）。口金は、バルブに封着された端子を覆って設けられる口金ベースと、端子と電気的に接続されるピンとを備える。口金ベースは、アルミニウム合金で形成され、ピンは、黄銅で形成されている。
【０００３】
【特許文献１】
特開２００２−２９８７３０号公報（段落００１９−００２０、第２図）
【０００４】
【発明が解決しようとする課題】
しかしながら、口金を構成する口金ベースとピンとをそれぞれ金属資源としてリサイクルするためには、口金ベースからピンを一つずつ取り外さなければならない。このため、リサイクルのためのコストがかかってしまい、口金は、リサイクル資源としての回収率が悪い。また、ピンに使用される黄銅は、成分中に鉛を含んでいるため、鉛の利用率低減という環境問題への配慮が難しい。
【０００５】
そこで、本発明は、リサイクル資源として分別が容易な蛍光ランプ用口金と、この口金を用いた蛍光ランプとを提供することを目的とする。
【０００６】
【課題を解決するための手段】
本発明にかかる蛍光ランプ用口金は、蛍光ランプのバルブに封着された端子を覆うアルミニウム合金製の口金ベースと、端子と電気的に接続されるとともに口金ベースと電気的に絶縁されてこの口金ベースから突出するアルミニウム合金製のピンとを備える。この場合、リサイクル資源として回収される口金の再生効率を良くするために、口金ベースとピンとは、同じ成分のアルミニウム合金を用いる。
【０００７】
また、本発明にかかる蛍光ランプは、内表面に蛍光剤が塗布されたバルブと、このバルブに封入された電極と、バルブに封着されて電極と導通する端子と、この端子を覆う口金ベースと、端子と電気的に接続されるとともに口金ベースと電気的に絶縁されてこの口金ベースから突出するアルミニウム合金製のピンとを備える。バルブは、直管状、環状、複数の直管を束ねて端部を交互に連通させた形状、直管を１回以上折り返した形状のものとする。
【０００８】
【発明の実施の形態】
本発明にかかる一実施の形態の蛍光ランプについて、図１及び図２を参照して説明する。図１に示す蛍光ランプ１は、直管状のバルブ２とこのバルブ２の両端部２ａに装着された口金３とを備える。バルブ２は、軟質ガラスからなり、内面に蛍光剤４が塗布されている。また、バルブ２の両端部２ａには、電極５が封入されている。この電極５は、バルブ２の両端部２ａの内側に形成されたステム６に封着された端子７に接続されている。
【０００９】
口金３は、図２に示すように、口金ベース８とピン９と絶縁部材１０とを備えている。口金ベース８は、バルブ２の両端部２ａから延出する端子７を覆うように形成されている。ピン９は、口金ベース８から突出するように、口金ベース８を貫通して設けられている。ピン９は、その中心に設けられた孔に端子７が挿入され、かしめられることで、端子７と電気的に接続されている。
【００１０】
また、ピン９は、グラスファイバー製の２枚の絶縁部材１０で口金ベース８に設けられた孔の縁を挟むように装着され、絶縁部材１０の厚み方向にかしめられて固定される。口金ベース８とピン９とは、絶縁部材１０によって電気的に絶縁されている。口金ベース８とピン９とは、アルミニウム合金、好ましくは、同じ成分のアルミニウム合金で造られている。
【００１１】
以上のように構成された蛍光ランプ１は、リサイクル資源として分別処理される場合、口金３をバルブ２から分離し、これをアルミニウム合金のリサイクル資源として、回収することができる。つまり、口金３を構成する口金ベース８とピン９とが、アルミニウム合金であるため、それぞれをさらに分離することなく一緒に回収することができる。この場合、絶縁部材１０は、グラスファイバー製なので、口金ベース８とピン９とを再生するために溶解することで、不純物として容易に取除くことができる。さらに、環境汚染因子となる鉛が含まれないため、これらを取扱う上で、環境対策が容易である。
【００１２】
また、ピン９がアルミニウム合金で造られているので、黄銅で造られたピンよりも軽量である。したがって、ピン９やこれを取付けた口金３をまとめて運搬する場合、重量が軽くなる。さらに、アルミニウム合金は、黄銅に比べて加工性が良いため、ピン９を成形するための金型の寿命が延びる。
【００１３】
なお、本実施形態において、バルブが直管状の蛍光ランプを一例に説明したが、バルブは、環状のバルブ、複数の直管を束ねてこれらの端部を交互に連通させた一続きのバルブ、或いは、直管を１回以上折り返した形状のバルブでも良い。また、口金３の形状は、日本工業規格（ＪＩＳ）で定めるＧ５口金、Ｇ１０ｑ口金、Ｇ１３口金、ＧＸ１０ｑ−１〜６口金、ＧＹ１０ｑ−１〜７口金、ＧＺ１０ｑ口金の形状であっても良い。
【００１４】
【発明の効果】
本発明の蛍光ランプ用口金、及びこの口金を用いた蛍光ランプによれば、口金ベースとピンとを分離せずに回収できるため、リサイクル資源として分別回収が容易である。したがって、分別回収する際の手間がかからなくなるので、蛍光ランプ、及びこの口金のリサイクルにかかる費用を低減できる。
【図面の簡単な説明】
【図１】本発明にかかる一実施形態の蛍光ランプを示す斜視図。
【図２】図１の蛍光ランプの口金を示す断面図。
【符号の説明】
１…蛍光ランプ、２…バルブ、３…口金、４…蛍光剤、５…電極、７…端子、８…口金ベース、９…ピン。
【図１】
2004281266.tif 000003
【図２】
2004281266.tif 000004